(57)【要約】【課題】部品点数を低減するとともに、低コストで製造できる対物レンズアクチュエータを提供する。【解決手段】対物レンズアクチュエータは、一対の磁性部材配置部４１ａ、４１ｂと、一対の減衰材充填部４２ａ、４２ｂと、可動部の移動量を規制する突起部４４ａ、４４ｂと、を有する樹脂部品３８を備える。突起部４４ａ、４４ｂは、磁性部材配置部４１ａ、４１ｂを上部側からカバーするカバー部４３ａ、４３ｂから突出する。減衰材充填部４２ａ、４２ｂは、上部側に開口を有する第１の溝からなっており、樹脂部品３８は、上下方向に平面視した場合に、突起部４４ａ、４４ｂと重なる樹脂がないように、且つ、カバー部４３ａ、４３ｂと磁性部材配置部４１ａ、４１ｂとが重なる部分には、カバー部４３ａ、４３ｂを形成する樹脂以外の樹脂がないように設けられている。【選択図】図６
2010282696.tif 000002
【特許請求の範囲】
【請求項１】
複数のコイルが取り付けられると共に対物レンズを保持する可動部と、
前記可動部を挟むように対向配置される一対の磁石と、
前記可動部に設けられる固定部に一端が取り付けられて他端が回路基板に固定される複数の棒状弾性支持部材と、
前記一対の磁石を配置するための一対の磁性部材配置部と、前記棒状弾性支持部材の振動を減衰させる減衰材が充填される一対の減衰材充填部と、前記可動部の移動量を規制する突起部と、を有して前記回路基板が取り付けられる樹脂部品と、
を備える対物レンズアクチュエータであって、
前記可動部に保持される前記対物レンズの光軸と略平行な方向を上下方向とし、前記可動部の前記対物レンズが保持される側を上部側とした場合に、
前記突起部は、前記樹脂部品に一体的に形成されて前記一対の磁性部材配置部を上部側からカバーする一対のカバー部の少なくとも一方から突出して前記可動部の上限位置を規制し、
前記一対の減衰材充填部は、いずれも、上部側或いは下部側に開口を有する第１の溝からなっており、
前記樹脂部品は、上下方向に平面視した場合に、前記突起部と重なる樹脂がないように、且つ、前記カバー部と前記磁性部材配置部とが重なる部分には、前記カバー部を形成する樹脂以外の樹脂がないように設けられていることを特徴とする対物レンズアクチュエータ。
【請求項２】
前記第１の溝の前記回路基板側の隣には、前記上部側と前記下部側とのうち、前記第１の溝と反対となる側に開口を有する第２の溝が形成され、
前記複数の棒状弾性支持部材のそれぞれは、前記第１の溝及び前記第２の溝を挿通されていることを特徴とする請求項１に記載の対物レンズアクチュエータ。
【請求項３】
前記突起部は、前記一対のカバー部の両方から突出するように設けられ、前記可動部を挟むように２つ設けられていることを特徴とする請求項１又は２に記載の対物レンズアクチュエータ。
【請求項４】
前記樹脂部品には、前記一対の減衰材充填部より可動部側において壁面が前記棒状弾性支持部材と略平行となるように設けられ、前記棒状弾性支持部材を保護する一対の保護用側壁が形成されていることを特徴とする請求項１から３のいずれかに記載の対物レンズアクチュエータ。
【請求項５】
前記一対の磁石のそれぞれの背後にはヨークが配置され、
前記磁性部材配置部には、前記磁石と前記ヨークとが配置されていることを特徴とする請求項１から４のいずれかに記載の対物レンズアクチュエータ。
【請求項６】
請求項１から５のいずれかに記載の対物レンズアクチュエータを備えることを特徴とする光ピックアップ。
【発明の詳細な説明】
【技術分野】
【０００１】
本発明は、対物レンズアクチュエータ及びそれを備えた光ピックアップに関し、詳細には、対物レンズアクチュエータを構成する部品点数を減らして、対物レンズアクチュエータ及び光ピックアップを低コストで製造可能とする技術に関する。
【背景技術】
【０００２】
近年、コンパクトディスク（以下、ＣＤという。）やデジタル多用途ディスク（以下、ＤＶＤという。）といった光ディスクが普及している。また、最近ではブルーレイディスク（以下、ＢＤという。）といった大容量の情報を記録できる光ディスクについても実用化されている。これら光ディスクに記録される情報の読み取りや光ディスクへの情報の書き込みには光ピックアップが用いられる。
【０００３】
光ピックアップにおいては、情報の読み取りや書き込み時に、光ディスクの面振れ等によらず光源から出射される光の焦点が常に光ディスクの記録面に合うようにフォーカシング制御を行う必要がある。また、光源から出射されて光ディスクの記録面に形成される光スポットが、光ディスクに形成されるトラックに追従するようにトラッキング制御を行う必要がある。このため、光ピックアップには、フォーカシング制御やトラッキング制御を行えるように、対物レンズをフォーカス方向及びトラック方向に移動可能とする対物レンズアクチュエータが備えられている。
【０００４】
図８は、従来の対物レンズアクチュエータの構成例を示す概略斜視図である。以下、図８を参照して従来の対物レンズアクチュエータ１００の構成について、簡単に説明する。従来の対物レンズアクチュエータ１００は、大きくは、板金部材からなるアクトベース１０１と、樹脂成型部品からなるレンズホルダ１０２と、樹脂成型部品からなるゲルボックス１０３と、板金部材或いは樹脂部品からなるアクトカバー１０４と、を備える。
【０００５】
アクトベース１０１には、レンズホルダ１０２を挟むように一対の永久磁石２０１ａ、２０１ｂが搭載されている。上部から見た場合に平面視略矩形状に形成されるレンズホルダ１０２には、対物レンズ２０２やコイル２０３が備えられている。また、レンズホルダ１０２には、ワイヤ２０４の一端が取り付けられている。このワイヤ２０４は複数（この例では６本）設けられ、いずれも一対の永久磁石２０１ａ、２０１ｂの対向方向と略平行な方向に延び、レンズホルダ１０２の対向する２つの側面部１０２ａ、１０２ｂに対称的に取り付けられている。図８に示す構成例では、２つの側面部１０２ａ、１０２ｂのそれぞれに、３本のワイヤ２０４の各一端が取り付けられた状態となっている。
【０００６】
ゲルボックス１０３には、ワイヤ２０４の振動を減衰させる減衰材（ゲル材）が充填できるように中空に形成された一対の減衰材充填部１０３ａ、１０３ｂが設けられている。このゲルボックス１０３の背後には回路基板２０５が取り付けられており、ワイヤ２０４の他端がこの回路基板２０５に固着されている。そして、これにより、レンズホルダ１０２はワイヤ２０４によって揺動可能に支持された状態となっている。なお、レンズホルダ１０２は、レンズホルダ１０２に取り付けられるフォーカスコイル（図示せず）やトラックコイル２０３に電流を流すことにより、永久磁石２０１ａ、２０１ｂが形成する磁界との電磁気的な作用によって、フォーカス方向やトラック方向へと移動する。
【０００７】
アクトカバー１０４は、一対の永久磁石２０１ａ、２０１ｂの上部を覆うように、また、ワイヤ２０４を側面から覆うように配置されている。これにより、アクトカバー１０４は、防塵効果と、光ピックアップの組み立て時においてワイヤ２０４に手等が触れるのを防止するワイヤ保護効果と、を発揮する。また、アクトカバー１０４には２つの突起部１０４ａ、１０４ｂが形成されており、これにより、レンズホルダ１０２がフォーカシング方向に移動したときの上限位置を規制できるようになっている。
【０００８】
上述した従来の対物レンズアクチュエータ１００の場合、部品点数が多く、各部品において他の部品と組み合せるためのマージンが必要となるために部品が大型化し、結果として対物レンズアクチュエータの大型化に繋がっていた。また、部品点数が多いために、組み立て精度が良いとは言えず、その改善が望まれていた。
【０００９】
この点、図９に示すように、特許文献１に開示される対物レンズアクチュエータは、アクチュエータの固定部（図示しないヨークとヨークに接合された永久磁石）を支持するアクチュエータベース３０１（上記アクトベース１０１に相当）と、アクチュエータの可動部（レンズホルダ）を変位可能に支持するダンパベース３０２（上記ゲルボックス１０３に相当）と、を樹脂により一体形成する構成としている。また、アクチュエータベース３０１に、アクチュエータの可動部の上限位置を規制する係合部３０３（上記突起部１０４ａ、１０４ｂに相当）を一体的に形成する構成としている。
【００１０】
このために、上述した従来の対物レンズアクチュエータ１００に比べて部品点数を少なくでき、組み立て精度の向上が望める。
【先行技術文献】
【特許文献】
【００１１】
【特許文献１】特開２０００−２９３８７３号公報
【発明の概要】
【発明が解決しようとする課題】
【００１２】
しかしながら、特許文献１に開示されるアクチュエータベース３０１とダンパベース３０２の一体化物は、例えばゲル材が中空部３０４に充填される構成である等、金型を単に一方向に抜くだけでは形成できない構造となっている。このために、特許文献１に示される構成では、一体化物を形成するためのコストが高くなるという問題があった。
【００１３】
そこで、本発明の目的は、部品点数を低減するとともに、低コストで製造できる対物レンズアクチュエータを提供することである。また、本発明の他の目的は、そのような対物レンズアクチュエータを備えることにより、低コストで製造できるとともに、組み立てバラツキの少ない光ピックアップを提供することである。
【課題を解決するための手段】
【００１４】
上記目的を達成するために本発明の対物レンズアクチュエータは、
複数のコイルが取り付けられると共に対物レンズを保持する可動部と、
前記可動部を挟むように対向配置される一対の磁石と、
前記可動部に設けられる固定部に一端が取り付けられて他端が回路基板に固定される複数の棒状弾性支持部材と、
前記一対の磁石を配置するための一対の磁性部材配置部と、前記棒状弾性支持部材の振動を減衰させる減衰材が充填される一対の減衰材充填部と、前記可動部の移動量を規制する突起部と、を有して前記回路基板が取り付けられる樹脂部品と、
を備える対物レンズアクチュエータであって、
前記可動部に保持される前記対物レンズの光軸と略平行な方向を上下方向とし、前記可動部の前記対物レンズが保持される側を上部側とした場合に、
前記突起部は、前記樹脂部品に一体的に形成されて前記一対の磁性部材配置部を上部側からカバーする一対のカバー部の少なくとも一方から突出して前記可動部の上限位置を規制し、
前記一対の減衰材充填部は、いずれも、上部側或いは下部側に開口を有する第１の溝からなっており、
前記樹脂部品は、上下方向に平面視した場合に、前記突起部と重なる樹脂がないように、且つ、前記カバー部と前記磁性部材配置部とが重なる部分には、前記カバー部を形成する樹脂以外の樹脂がないように設けられていることを特徴としている。
【００１５】
本構成によれば、対物レンズアクチュエータが備える樹脂部品は、１つの部品で、従来の対物レンズアクチュエータにおける、アクトベース、ゲルボックス及びアクトカバーと同様の機能を果たしている。すなわち、本構成によれば、従来に比べて部品点数を削減して対物レンズアクチュエータを製造できる。そして、本構成においては、減衰材充填部、カバー部及び突起部が設けられる部分の構成を工夫しているために、樹脂部品が中空構造を有しない構造とできる。このために、樹脂部品は、金型を単に一方向に抜くだけで形成でき、金型に要するコストを抑えて安価に製造できる。したがって、先に述べた部品点数の削減効果と合わせて、従来に比べて大幅に製造コストを抑制して対物レンズアクチュエータを製造することが可能である。
【００１６】
また、本構成によれば、従来の比べて部品点数が削減されるために、部品を組み合せるために各部品に対して考慮する必要があったマージンも少なくなり、結果として、対物レンズアクチュエータのサイズの小型化を図ることも可能となる。また、組み合せる部品の数が減るために、組み立てバラツキについても抑制できる。
【００１７】
上記構成の対物レンズアクチュエータにおいて、前記第１の溝の前記回路基板側の隣には、前記上部側と前記下部側とのうち、前記第１の溝と反対となる側に開口を有する第２の溝が形成され、前記複数の棒状弾性支持部材のそれぞれは、前記第１の溝及び前記第２の溝を挿通されていることとしてもよい。そして、この構成においては、第１の溝が上部側に、第２の溝が下部側に開口を有するように構成するのが好ましい。このようにすると、作業性良く対物レンズアクチュエータを製造できる。
【００１８】
上記構成の対物レンズアクチュエータにおいて、前記突起部は、前記一対のカバー部の両方から突出するように設けられ、前記可動部を挟むように２つ設けられているのが好ましい。このように構成することによって、突起部の可動部の上限位置を規制する機能をより適切に発揮し易い。
【００１９】
上記構成の対物レンズアクチュエータにおいて、前記樹脂部品には、前記一対の減衰材充填部より可動部側において壁面が前記棒状弾性支持部材と略平行となるように設けられ、前記棒状弾性支持部材を保護する一対の保護用側壁が形成されているのが好ましい。この構成によれば、対物レンズアクチュエータや光ピックアップの組み立て時にワイヤに、手等が触れる可能性を低減できる。
【００２０】
上記構成の対物レンズアクチュエータにおいて、前記一対の磁石のそれぞれの背後にはヨークが配置され、前記磁性部材配置部には、前記磁石と前記ヨークとが配置されているのが好ましい。この構成によれば、磁石によって作られる磁界の磁束密度を高めることが可能であり、好ましい。
【００２１】
また、上記目的を達成するために本発明は、上記構成の対物レンズアクチュエータを備える光ピックアップであることを特徴としている。
【００２２】
本構成によれば、対物レンズアクチュエータを低コストで製造できるために、光ピックアップに要するコストを低減できる。また、対物レンズアクチュエータの組み立てバラツキがすくないために、光ピックアップの組み立てバラツキも低減できる。
【発明の効果】
【００２３】
本発明によれば、部品点数を低減するとともに、低コストで製造できる対物レンズアクチュエータを提供できる。また、前述の対物レンズアクチュエータを備える構成とすることによって、低コストで製造できるとともに、組み立てバラツキの少ない光ピックアップを提供できる。
【図面の簡単な説明】
【００２４】
【図１】本実施形態の光ピックアップの外観構成を示す概略図
【図２】本実施形態の光ピックアップが備える光学構成を示す概略平面図
【図３】本実施形態の対物レンズアクチュエータの構成を示す概略斜視図
【図４】本実施形態の対物レンズアクチュエータが備えるレンズホルダに取り付けられるコイルの構成を示す概略斜視図
【図５】本実施形態の対物レンズアクチュエータが備える磁性部材の構成を説明するための概略平面図
【図６】本実施形態の対物レンズアクチュエータが備える樹脂部品の構成を示す概略斜視図
【図７】本実施形態の対物レンズアクチュエータが備える樹脂部品の構成を示す概略平面図
【図８】従来の対物レンズアクチュエータの構成例を示す概略斜視図
【図９】従来の対物レンズアクチュエータの他の構成例を説明するための概略斜視図
【発明を実施するための形態】
【００２５】
以下、本発明の実施形態について、図面を参照しながら詳細に説明する。
【００２６】
（光ピックアップの構成）
まず、本発明の対物レンズアクチュエータを備える光ピックアップの構成について説明する。なお、ここでは、光ピックアップがＢＤに対して情報の読み取りや情報の書き込みを行える構成である場合を例に挙げて説明する。ただし、本発明は、ＢＤ対応の光ピックアップに限らず、他の種類の光ディスクに対応する光ピックアップにも広く適用できるものである。
【００２７】
図１は、本実施形態の光ピックアップの外観構成を示す概略図で、図１（ａ）は概略平面図、図１（ｂ）は概略側面図である。図１に示すように、本実施形態の光ピックアップ１は、ピックアップベース２と、ピックアップベース２上に搭載される対物レンズアクチュエータ３と、を備える。なお、ピックアップベース２の左右には軸受け部２ａ、２ｂが設けられるが、これはピックアップベース２をガイドシャフト１０１に沿って摺動可能とするために設けられる。
【００２８】
図２は、本実施形態の光ピックアップが備える光学構成を示す概略平面図である。なお、図２は、光ディスク１００側からフォーカス方向（情報記録面１００ａに対して垂直な方向；図１（ｂ）参照）に沿って見た場合の概略平面図である。
【００２９】
図２に示すように、本実施形態の光ピックアップ１には、光源１１と、グレーティング１２と、偏光ビームスプリッタ１３と、１／４波長板１４と、コリメートレンズ１５と、立上げミラー１６と、対物レンズ１７と、センサレンズ１８と、受光素子１９と、が備えられる。これらの部材のうち、対物レンズ１７以外の部材はピックアップベース２（図１参照）上に搭載されている。対物レンズ１７は、対物レンズアクチュエータ３（図１参照）に搭載されている。
【００３０】
光源１１はＢＤ用のレーザ光（例えば波長４０５ｎｍ帯のレーザ光）を出射する半導体レーザである。なお、光源１１からは直線偏光が出射されるようになっている。光源１１から出射されたレーザ光はグレーティング１２に送られる。
【００３１】
グレーティング１２は、光源１１から送られてきたレーザ光を回折して主光と２つの副光とに分ける。このように主光と副光とに分けるのは、トラッキング制御を行うために必要なトラックエラー信号を得られるようにするためである。本実施形態の光ピックアップ１においては、公知の手法であるＤＰＰ（Differential Push-Pull）法を用いてトラックエラー信号が得られるように形成されている。グレーティング１２から出射したレーザ光は偏光ビームスプリッタ１３に送られる。
【００３２】
偏光ビームスプリッタ１３は、光源１１から出射される直線偏光と同じ偏光方向の直線偏光を反射し、光源１１から出射される直線偏光に対して偏光方向が９０度回転された直線偏光を透過するように形成されている。このため、グレーティング１２から偏光ビームスプリッタ１３に送られたレーザ光は、偏光ビームスプリッタ１３で反射される。偏光ビームスプリッタ１３で反射されたレーザ光は、１／４波長板１４に送られる。
【００３３】
１／４波長板１４は、入射する直線偏光を円偏光に変換するとともに、入射する円偏光を直線偏光に変換する機能を有する。偏光ビームスプリッタ１３から送られて１／４波長板１４を通過するレーザ光は、直線偏光から円偏光へと変換されてコリメートレンズ１５に送られる。
【００３４】
コリメートレンズ１５は、図示しないレンズ駆動ユニットに搭載されて光軸方向（図２の矢印Ａで示す方向）に移動可能となっている。このようにコリメートレンズ１５を移動可能とするのは、コリメートレンズ１５から出射されるレーザ光の状態を発散光としたり、収束光としたりできるようにするためである。そして、このように光の状態を変更可能とするのは、球面収差の補正を行えるようにするためである。コリメートレンズ１５から出射されたレーザ光は立上げミラー１６へと送られる。
【００３５】
立上げミラー１６は、略直方体状の部材で形成され、金属薄膜等で覆われて入射するレーザ光を全て反射する反射面１６ａを有する。この立上げミラー１６によってコリメートレンズ１５から立上げミラー１６へと送られたレーザ光は、その進行方向を変換されて対物レンズ１７へと送られる。
【００３６】
対物レンズ１７は、ＢＤ用に設計された高ＮＡ（例えばＮＡ＝０．８５）の対物レンズであり、立上げミラー１６から送られて来たレーザ光を光ディスク１００の情報記録面１００ａに集光する。対物レンズ１７によって情報記録面１００ａに集光されたレーザ光は、情報記録面１００ａで反射される。
【００３７】
なお、対物レンズ１７は上述のように対物レンズアクチュエータ３に搭載され、フォーカス方向やトラック方向（光ディスクの径方向と平行な方向）に移動可能となっている。対物レンズ１７をフォーカス方向に移動可能とするのは、対物レンズ１７の焦点位置が常に情報記録面に合うように制御（フォーカシング制御）するためである。また、対物レンズ１７をトラック方向に移動可能とするのは、対物レンズ１７によって集光された光スポットが、光ディスク１００に形成されるトラックに常に追随するように制御（トラッキング制御）するためである。対物レンズアクチュエータ３の構成の詳細は後述する。
【００３８】
情報記録面１００ａで反射された戻り光は、対物レンズ１７を透過し、立上げミラー１６で反射される。そして、コリメートレンズ１５を通過後、１／４波長板１４で円偏光から直線偏光に変換される。この直線偏光の偏光方向は、光源１１から出射された直線偏光の偏光方向を９０度回転した方向である。このため、１／４波長板１４を通過した戻り光は、偏光ビームスプリッタ１３を透過する。すなわち、偏光ビームスプリッタ１３と１／４波長板１４とは、協働して光アイソレータとして機能する。
【００３９】
偏光ビームスプリッタ１３を透過した戻り光は、センサレンズ１８で所定の非点収差を与えられて受光素子１９の受光面に集光する。受光素子１９は、受光した光信号を電気信号へと変換して出力し、出力された電気信号は処理されて、再生信号やサーボ信号（フォーカスエラー信号やトラックエラー信号等）等となる。
【００４０】
なお、センサレンズ１８は、非点収差を付与する手段であればよく、例えばシリンドリカルレンズやホログラム素子等が用いられる。また、センサレンズ１８で所定の非点収差を与えるのは、非点収差方式のフォーカスエラー信号が得られるようにするためである。
【００４１】
（対物レンズアクチュエータの構成）
次に、本実施形態の対物レンズアクチュエータの構成について、図３から図７を参照しながら説明する。図３は、本実施形態の対物レンズアクチュエータの構成を示す概略斜視図である。図４は、本実施形態の対物レンズアクチュエータが備えるレンズホルダに取り付けられるコイルの構成を示す概略斜視図である。図５は、本実施形態の対物レンズアクチュエータが備える磁性部材の構成を説明するための概略平面図である。図６は、本実施形態の対物レンズアクチュエータが備える樹脂部品の構成を示す概略斜視図である。図７は、本実施形態の対物レンズアクチュエータが備える樹脂部品の構成を示す概略平面図で、図７（ａ）は上から見た場合の図で、図７（ｂ）は下から見た場合の図である。
【００４２】
なお、本明細書の対物レンズアクチュエータに関する説明を行う部分では、レンズホルダ（詳細は後述する）に保持される対物レンズ１７の光軸方向に対して略平行な方向を上下方向とする。また、レンズホルダの対物レンズが保持される側を上部側とする。
【００４３】
図３を参照して、レンズホルダ３１は、本発明の可動部の実施形態であり、例えば液晶ポリマ等の樹脂によって形成されている。レンズホルダ３１の略中央部には対物レンズ１７を保持するためのレンズ保持部（図示せず）が形成されている。このレンズ保持部は、光が透過できるようにレンズホルダ３１の内部に形成される光路孔（図示せず）と繋がっている。
【００４４】
また、レンズホルダ３１には、図４に示すように配置されるトラックコイル３２と、フォーカスコイル３３と、が取り付けられている。図３を参照して、略矩形状に巻回されるトラックコイル３２は、レンズホルダ３１の永久磁石３４ａ、３４ｂと対向する２つの側壁のそれぞれに一対ずつ接着固定されている。なお、各側壁に一対ずつ接着固定されるトラックコイル３２は、レンズホルダ３１を挟んで対称配置となっている。また、レンズホルダ３１に接着固定される計４つのトラックコイル３２は全体として１本の線で繋がっている。フォーカスコイル３３は、レンズホルダ３１の内壁に沿って略矩形状に巻回され、レンズホルダ３１の内壁に接着固定されている。
【００４５】
また、レンズホルダ３１の側壁のうち、一対の永久磁石３４ａ、３４ｂの対向方向に対して直交する２つの側壁（言い換えると、トラックコイル３２が接着固定されていない側壁）には、それぞれ、ワイヤ３５の一端を取り付けるワイヤ固定部３１ａが形成されている。ワイヤ固定部３１ａに一端が取り付けられるワイヤ３５の他端は、詳細は後述する樹脂部品３８の背面に取り付けられる回路基板３６に半田等を用いて固着されている。これにより、レンズホルダ３１はワイヤ３５によって揺動可能に支持された状態となっている。
【００４６】
なお、本実施形態の対物レンズアクチュエータ３においては、片側に上下方向に並んだワイヤ３５が３本ずつ設けられ、左右両側で計６本のワイヤ３５が備えられる構成となっている。また、このワイヤ３５は、本発明の棒状弾性支持部材の実施形態である。また、回路基板３６には、図示しないフレキシブルプリント基板が接続され、光ピックアップ１全体を制御する制御部からの信号が送信される。これにより、ワイヤ３５を介してトラックコイル３２やフォーカスコイル３３に必要な電流が流され、一対の永久磁石３４ａ、３４ｂによって形成される磁界との電磁気的作用により、レンズホルダ３１がフォーカス方向やトラック方向に移動する。
【００４７】
また、本実施形態の対物レンズアクチュエータ３においては、図５に示すように、レンズホルダ３１を挟むように配置される一対の永久磁石３４ａ、３４ｂのそれぞれの背後にはヨーク３７ａ、３７ｂが配置されている。このヨーク３７ａ、３７ｂは、一対の永久磁石３４ａ、３４ｂによって形成される磁界の磁束密度を高めるために設けられている。
【００４８】
樹脂部品３８は、特に限定されるものではないが、例えばポリカーボネートやポリフェニレンサルファイド樹脂（ＰＰＳ）等の樹脂によって一体成形された部品である。図６に示すように、樹脂部品３８は、一対の磁性部材配置部４１ａ、４１ｂと、一対の減衰材充填部４２ａ、４２ｂと、一対のカバー部４３ａ、４３ｂと、一対の突起部４４ａ、４４ｂと、一対の保護用側壁４５ａ、４５ｂと、を有する。
【００４９】
ここで、図６に加えて貫通孔が斜線で示される図７も参照しながら、樹脂部品３８の詳細構成を説明する。図７（ｂ）に示されるように、樹脂部品３８の下面には略十字形状に形成される第１の貫通孔５１が形成されている。この第１の貫通孔５１により樹脂部品３８の下部から来る光が樹脂部品３８を透過してレンズホルダ３１へと至るようになっている。また、レンズホルダ３１が下方へ移動した場合に樹脂部品３８と衝突しないようになっている。
【００５０】
この第１の貫通孔５１は、図７（ａ）に示されるように上部から見た場合には、その一部がカバー部４３ａ、４３ｂによって覆われる。図７（ｂ）に破線で示す矩形状の枠が磁性部材配置部４１ａ、４１ｂに該当し、この磁性部材配置部４１ａ、４１ｂは、上下方向に平面視した場合に、カバー部４３ａ、４３ｂと第１の貫通孔５１とが重なる部分とほぼ同一である。換言すると、上下方向に平面視した場合に、カバー部４３ａ、４３ｂと磁性部材配置部４１ａ、４１ｂとが重なる部分には、カバー部を形成する樹脂以外の樹脂がないように樹脂部品３８は設けられている。
【００５１】
磁性部材配置部４１ａには永久磁石３４ａとヨーク３７ａ（図５参照）が、磁性部材配置部４１ｂには永久磁石３４ｂとヨーク３７ｂ（図５参照）が配置される。ヨーク３７ａは樹脂部品３８が有する上下方向に立設される壁の壁面５２ａに、ヨーク３７ｂは樹脂部品３８が有する上下方向に立設される壁の壁面５２ｂに接着剤等で接合される。各ヨーク３７ａ、３７ｂに磁着される永久磁石３４ａ、３４ｂは、それぞれ、カバー部４３ａ、４３ｂの下面に例えば接着剤等で接合されて固定される。
【００５２】
樹脂部品３８の上部に形成されるカバー部４３ａ、４３ｂは、上述のように磁性部材配置部４１ａ、４１ｂを上部側から覆うように形成されており、磁性部材配置部４１ａ、４１ｂに配置される永久磁石３４ａ、３４ｂ及びヨーク３７ａ、３７ｂに対する防塵効果を発揮する。
【００５３】
また、各カバー部４３ａ、４３ｂの端部からは、突起部４４ａ、４４ｂが突出している。この突起部４４ａ、４４ｂは、レンズホルダ３１の上方向の移動量を規制（上限位置を規制）するものである。このため、突起部４４ａ、４４ｂは上下方向に平面視した場合に、レンズホルダ３１の上部の一部と重なるように設けられている。
【００５４】
なお、突起部４４ａ、４４ｂは、レンズホルダ３１に保持される対物レンズ１７を傷つけないように、対物レンズ１７とは接触しないように設けられている。また、レンズホルダ３１を挟むように設けられる２つの突起部４４ａ、４４ｂは、レンズホルダ３１の中心を基準に対称配置されている。また、突起部４４ａ、４４ｂを上下方向に平面視した場合に、突起部４４ａ、４４ｂと重なる樹脂がないように樹脂部品３８は形成されている。
【００５５】
レンズホルダ３１を揺動可能に支持するワイヤ３５の振動を減衰する減衰材が充填される一対の減衰材充填部４２ａ、４２ｂは、いずれも、開口５３を上部に有する平面視略Ｕ字状の第１の溝からなっている。以下、減衰材充填部と第１の溝については同じ符号を使用して説明する。
【００５６】
第１の溝４２ａ、４２ｂは、樹脂部品３８の上部から下部まで延びており、下部は塞がれた状態となっている。このように形成される第１の溝４２ａ、４２ｂには、上部から減衰材を充填することが可能であるために作業性が良い。なお、減衰材としては、例えばシリコンを主成分とするゲル材を用いることができる。
【００５７】
第１の溝４２ａ、４２ｂの回路基板３６が取り付けられる側の隣（第１の溝の背後）には、下面に開口５４を有する平面視略矩形状の第２の溝４６ａ、４６ｂが形成されている。この第２の溝４６ａ、４６ｂは、樹脂部品３８の下部から上部まで延びており、上部は塞がれた状態となっている。この第２の溝４６ａ、４６ｂは、樹脂部品３８に中空の空間を作ることなく、第１の溝４２ａ、４２ｂへの減衰材の充填を適切に行えるようにしつつ、更に、ワイヤ３５を挿通させる空間を確保する等の目的で設けられる。
【００５８】
なお、本実施形態においては、減衰材充填部（第１の溝）４２ａ、４２ｂのレンズホルダ３１側の隣（第１の溝の前方）には、第２の貫通孔５５が形成されるが、これは、減衰材充填部４２ａ、４２ｂから減衰材がはみ出し難くすることを狙ったものである。この第２の貫通孔５５を設けない構成としても良いが、本実施形態のように設けるのが好ましい。
【００５９】
一対の保護用側壁４５ａ、４５ｂは、一対の減衰材充填部４２ａ、４２ｂよりレンズホルダ３１側に設けられる側壁で、壁面がワイヤ３５と略平行となっている。この一対の保護用側壁４５ａ、４５ｂは、特に作業時において、作業者がワイヤ３５に触れてしまうのを防止するために設けられている。なお、一対の保護用側壁４５ａ、４５ｂの高さは、ワイヤ３５保護の目的を達成すれば良く、その高さは適宜変更して構わない。本実施形態では、ワイヤ保護に加えて、作業性等も考慮して、減衰材充填部４２ａ、４２ｂの上面より低くしている。
【００６０】
その他、樹脂部品３８には、対物レンズアクチュエータ３を光ピックアップ１のピックアップベース２に取り付けるためのネジ孔５６や、樹脂部品３８を作製するための必要と成る樹脂量を減らす等の目的で形成される第３の貫通孔５７も設けられている。
【００６１】
以上のように、本実施形態の対物レンズアクチュエータ３が備える樹脂部品３８は、この部品１つで、従来の対物レンズアクチュエータ１００（図８参照）における、アクトベース１０１、ゲルボックス１０３及びアクトカバー１０４と同様の機能を果たす。すなわち、本実施形態の対物レンズアクチュエータ３は、従来に比べて部品点数を削減できるのである。そして、本実施形態の樹脂部品３８は、図６及び図７を参照してわかるように、中空構造を有しないために金型の抜きを一方向とできる。このために、金型に要するコストを安価とすることができ、先に述べた部品点数の削減と合わせて、従来に比べて大幅に製造コストを抑制することができるのである。
【００６２】
また、従来の比べて部品点数が削減されるために、部品を組み合せるために各部品に対して考慮する必要があったマージンも少なくなり、結果として、対物レンズアクチュエータのサイズの小型化を図ることも可能となる。また、組み合せる部品の数が減るために、組み立てバラツキについても抑制できる。
【００６３】
（その他）
以上に示した実施形態は本発明の一例を示すものであり、本発明の適用範囲は以上に示した実施形態に限定されるものではない。本発明の目的を逸脱しない範囲で、以上に示した実施形態の構成について種々の変更が可能である。
【００６４】
例えば、本実施形態においては、減衰材充填部である第１の溝４２ａ、４２ｂの背後に、第２の溝４６ａ、４６ｂを設ける構成としたが、第２の溝４６ａ、４６ｂの代わりに、上下方向に貫通する貫通孔としても良い。
【００６５】
また、以上に示した実施形態では、第１の溝４２ａ、４２ｂは上面に開口５３を有する構成としたが、下面に開口を有する構成としてもよい。なお、この場合に、第２の溝４６ａ、４６ｂを設ける場合には、下面ではなく上面に開口を有する構成とするのが好ましい。
【００６６】
また、以上に示した実施形態では、一対のカバー部４３ａ、４３ｂのいずれにも１つずつ突起部を設ける構成としたが、この構成に限定される趣旨ではない。すなわち、例えば、一対のカバー部４３ａ、４３ｂのいずれか一方にのみ突起部を１つ或いは複数設ける構成等としても構わない。
【００６７】
また、以上に示した実施形態では、対物レンズアクチュエータが有するワイヤの数を、片側に３本ずつ計６本としたが、この数については適宜変更可能である。また、対物レンズアクチュエータに、トラックコイル及びフォーカスコイル以外のコイル（例えばチルトコイル）を備える構成としてもよい。
【００６８】
また、以上に示した実施形態では、対物レンズアクチュエータが備える対物レンズの数が１つである構成を示したが、対物レンズアクチュエータが備える対物レンズの数が２つ以上の場合でも本発明は適用可能である。
【００６９】
また、以上に示した実施形態では、対物レンズアクチュエータが備える磁性部材は永久磁石とヨークである構成としたが、永久磁石のみである構成としても構わない。
【産業上の利用可能性】
【００７０】
本発明は、光ピックアップに好適である。
【符号の説明】
【００７１】
１  光ピックアップ
３  対物レンズアクチュエータ
１７  対物レンズ
３１  レンズホルダ（可動部）
３１ａ  ワイヤ固定部
３２  トラックコイル
３３  フォーカスコイル
３４ａ、３４ｂ  永久磁石
３５  ワイヤ（棒状弾性支持部材）
３６  回路基板
３７ａ、３７ｂ  ヨーク
３８  樹脂部品
４１ａ、４１ｂ  磁性部材配置部
４２ａ、４２ｂ  減衰材充填部、第１の溝
４３ａ、４３ｂ  カバー部
４４ａ、４４ｂ  突起部
４５ａ、４５ｂ  保護用側壁
４６ａ、４６ｂ  第２の溝
５３、５４  開口
【図１】
2010282696.tif 000003
【図２】
2010282696.tif 000004
【図３】
2010282696.tif 000005
【図４】
2010282696.tif 000006
【図５】
2010282696.tif 000007
【図６】
2010282696.tif 000008
【図７】
2010282696.tif 000009
【図８】
2010282696.tif 000010
【図９】
2010282696.tif 000011